(57)【要約】【課題】  電力事情に見合った省エネ性能と炊飯性能の両立を図る炊飯器を提供すること。【解決手段】  課題を解決する為には、電気炊飯器において、調理物を入れる内鍋と、この内鍋を加熱する加熱手段と、この加熱手段を制御して炊飯制御を行う制御部を備え、炊飯制御は、通常の炊飯制御を行う通常制御と、この通常制御より消費電力の少ない炊飯制御を行う省エネ制御を有し、制御部は、使用環境の電力状況に応じて、通常制御か省エネ制御のいずれかを選択して炊飯制御を行うことにより、課題を解決することができる。【選択図】図３
2014151037.tif 000002
【特許請求の範囲】
【請求項１】
調理物を入れる内鍋と、
該内鍋を加熱する加熱手段と、
該加熱手段を制御して炊飯制御を行う制御部を備え、
前記炊飯制御は、通常の炊飯制御を行う通常制御と、この通常制御より消費電力の少ない炊飯制御を行う省エネ制御を有し、
前記制御部は、使用環境の電力状況に応じて、前記通常制御か前記省エネ制御のいずれかを選択して炊飯制御を行うことを特徴とする電気炊飯器。
【請求項２】
前記炊飯制御は複数の工程からなり、
前記制御部は、前記各工程の開始前に、使用環境の電力状況に応じて、前記通常制御か前記省エネ制御のいずれかを選択して炊飯制御を行うことを特徴とする請求項１に記載の電気炊飯器。
【請求項３】
前記省エネ制御は、より消費電力の少ない炊飯制御を行う強省エネ炊飯制御と、この強省エネ炊飯制御よりは消費電力が多い弱省エネ炊飯制御からなり、
前記炊飯制御があらかじめ省エネ制御で行われるように設定されている場合、
使用環境の電力の状況が逼迫した状態のときは、前記強省エネ炊飯制御を行い、
使用環境の電力の状況が逼迫した状態ではないときは、前記弱省エネ炊飯制御を行うことを特徴とする請求項１に記載の電気炊飯器。
【請求項４】
前記省エネ制御は、より消費電力の少ない炊飯制御を行う強省エネ炊飯制御と、この強省エネ炊飯制御よりは消費電力が多い弱省エネ炊飯制御からなり、
前記炊飯制御があらかじめ通常制御で行われるように設定されている場合、
使用環境の電力の状況が逼迫した状態のときは、前記強省エネ炊飯制御、又は、前記弱省エネ炊飯制御に変更して炊飯制御を行い、
使用環境の電力の状況が逼迫した状態ではないときは、前記通常制御を行うことを特徴とする請求項１に記載の電気炊飯器。
【請求項５】
前記制御部に接続された報知手段を有し、
該報知手段により、前記炊飯制御を前記前記強省エネ炊飯制御、又は、前記弱省エネ炊飯制御に変更した場合、変更した旨を報知することを特徴とする請求項４に記載の電気炊飯器。
【請求項６】
調理物を入れる内鍋と、
該内鍋を加熱する加熱手段と、
該加熱手段を制御して炊飯制御を行う制御部を備え、
前記炊飯制御は、通常の炊飯制御を行う通常制御と、この通常制御より消費電力の少ない炊飯制御を行う省エネ制御を有し、
前記制御部は、使用する時刻に応じて、前記通常制御か前記省エネ制御のいずれかを選択して炊飯制御を行うことを特徴とする電気炊飯器。
【請求項７】
前記省エネ制御は、より消費電力の少ない炊飯制御を行う強省エネ炊飯制御と、この強省エネ炊飯制御よりは消費電力が多い弱省エネ炊飯制御からなり、
前記炊飯制御があらかじめ省エネ制御で行われるように設定されている場合、
使用する時刻が電力の状況が逼迫した状態のときは、前記強省エネ炊飯制御を行い、
使用する時刻が電力の状況が逼迫した状態ではないときは、前記弱省エネ炊飯制御を行うことを特徴とする請求項６に記載の電気炊飯器。
【請求項８】
前記省エネ制御は、より消費電力の少ない炊飯制御を行う強省エネ炊飯制御と、この強省エネ炊飯制御よりは消費電力が多い弱省エネ炊飯制御からなり、
前記炊飯制御があらかじめ通常制御で行われるように設定されている場合、
使用する時刻が電力の状況が逼迫した状態のときは、前記強省エネ炊飯制御、又は、前記弱省エネ炊飯制御に変更して炊飯制御を行い、
使用する時刻が電力の状況が逼迫した状態ではないときは、前記通常制御を行うことを特徴とする請求項６に記載の電気炊飯器。
【請求項９】
前記制御部に接続された報知手段を有し、
該報知手段により、前記炊飯制御を前記前記強省エネ炊飯制御、又は、前記弱省エネ炊飯制御に変更した場合、変更した旨を報知することを特徴とする請求項６に記載の電気炊飯器。
【請求項１０】
調理物を入れる内鍋と、
該内鍋を加熱する加熱手段と、
外部から情報を受信する情報受信部と、
外部へと情報を送信する情報送信部と、
該加熱手段を制御して炊飯制御を行う制御部を備え、
前記炊飯制御は、通常の炊飯制御を行う通常制御と、この通常制御より消費電力の少ない炊飯制御を行う省エネ制御を有し、
前記制御部は、使用環境の電力状況に応じて、前記通常制御か前記省エネ制御のいずれかを選択して炊飯制御を行うものであり、前記通常制御から前記省エネ制御に変更する場合、使用者に対して当該変更の確認を行う確認処理を実行することを特徴とする電気炊飯器。
【請求項１１】
前記制御部は、使用者から前記通常制御から前記省エネ制御に変更する旨を許可する回答情報がある場合、省エネ制御に変更することを特徴とする請求項１０に記載の電気炊飯器。
【請求項１２】
前記制御部は、使用者から前記通常制御から前記省エネ制御に変更する旨を許可する回答情報が所定の時間が経過しても無い場合、省エネ制御に変更することを特徴とする請求項１０に記載の電気炊飯器。
【請求項１３】
前記炊飯制御は複数の工程からなり、
前記制御部は、前記各工程の開始前に、使用環境の電力状況に応じて、前記通常制御か前記省エネ制御のいずれかを選択して炊飯制御を行うことを特徴とする請求項１０に記載の電気炊飯器。
【請求項１４】
前記情報送信部及び前記情報受信部は、家庭等におけるエネルギー管理を支援するシステムである電力使用状況測定手段と接続しており、前記回答情報及び前記確認処理は、前記電力使用状況測定手段を介して行うことを特徴とする請求項１０に記載の電気炊飯器。
【請求項１５】
前記情報受信部は、家庭等におけるエネルギー管理を支援するシステムである電力使用状況測定手段と接続しており、該電力使用状況測定手段から使用環境の電力状況の情報を受信していることを特徴とする請求項１０に記載の電気炊飯器。
【請求項１６】
調理物を入れる内鍋と、
該内鍋を加熱する加熱手段と、
外部から情報を受信する情報受信部と、
外部へと情報を送信する情報送信部と、
該加熱手段を制御して炊飯制御を行う制御部を備え、
前記情報受信部と前記情報送信部は、家庭等におけるエネルギー管理を支援するシステムである電力使用状況測定手段と接続可能であり、
前記炊飯制御は、通常の炊飯制御を行う通常制御と、この通常制御より消費電力の少ない炊飯制御を行う省エネ制御を有し、
前記制御部は、前記電力使用状況測定手段と接続する他の機器の動作状況を受信して、他の機器との間の動作の優先順位に基づき、前記通常制御か前記省エネ制御のいずれかを選択して炊飯制御を行うことを特徴とする電気炊飯器。
【請求項１７】
前記制御部は、前記電力使用状況測定手段と接続する他の機器より、動作の優先順位が高い場合、前記情報送信部から前記電力使用状況測定手段に向けて、電力を低下させない旨の情報を送信して、通常制御を行うことを特徴とする請求項１６に記載の電気炊飯器。
【請求項１８】
前記制御部は、前記電力使用状況測定手段と接続する他の機器より、動作の優先順位が低い場合、前記情報送信部から前記電力使用状況測定手段に向けて、電力を低下させる旨の情報を送信して、省エネ制御を行うことを特徴とする請求項１６に記載の電気炊飯器。
【請求項１９】
調理物を入れる内鍋と、
該内鍋を加熱する加熱手段と、
外部から情報を受信する情報受信部と、
外部へと情報を送信する情報送信部と、
該加熱手段を制御して炊飯制御を行う制御部を備え、
前記情報受信部と前記情報送信部は、家庭等におけるエネルギー管理を支援するシステムである電力使用状況測定手段と接続可能であり、
前記炊飯制御は、通常の炊飯制御を行う通常制御と、この通常制御より消費電力の少ない炊飯制御を行う省エネ制御を有し、
炊飯開始時間や炊き上がり時間などの予約時間をあらかじめ入力して、所定の時間に炊飯制御を開始する予約炊飯機能を有し、
前記制御部は、使用環境の電力状況に応じて、前記予約時間の変更を行うことを特徴とする電気炊飯器。
【請求項２０】
前記制御部は、予約時間の変更を行う前に、使用者に対して当該変更の確認を行う確認処理を実行することを特徴とする請求項１９に記載の電気炊飯器。
【請求項２１】
前記制御部は、使用者から予約時間の変更を行うことを許可する回答情報がある場合、通常制御を行うことを特徴とする請求項２０に記載の電気炊飯器。
【請求項２２】
前記制御部は、使用者から予約時間の変更を行うことを許可しない回答情報がある場合、省エネ制御を行うことを特徴とする請求項２０に記載の電気炊飯器。
【請求項２３】
前記制御部は、使用者から予約時間の変更に関する回答情報が所定の時間が経過しても無い場合、省エネ制御を行うことを特徴とする請求項２０に記載の電気炊飯器。
【請求項２４】
前記制御部は、予約時間に至るまでの間に、使用環境の電力の状況が逼迫した状態のとなったときは、前記電力使用状況測定手段に接続されている他の機器の運転予約状況を取得して、予約時間の変更を行うことを特徴とする請求項１９に記載の電気炊飯器。
【請求項２５】
前記制御部は、予約時間を設定する際に、前記電力使用状況測定手段に接続されている他の機器の運転予約状況を取得して、使用者に報知することを特徴とする請求項１９に記載の電気炊飯器。
【発明の詳細な説明】
【技術分野】
【０００１】
本発明は、炊飯制御手段として、通常モードとこの通常モードに比べて消費電力が小さい省エネルギー性能が高い省エネモードとの選択可能な２つの炊飯制御モードを備えた電気炊飯器に関する。
【背景技術】
【０００２】
近年、様々な要因により電力供給事情の不安から、家庭内でも電力消費を気にする省エネルギーに対する意識が高まっている。また、電気料金の値上げなどから、電気炊飯器を用いた炊飯時の消費電力を気にする消費者が増加している。
この様な省エネルギーへの意識の高まりがある中、より美味しくご飯を食べたいという要求も高く、省エネルギー性能と炊飯性能の両立した電気炊飯器が求められている。
【０００３】
このような、省エネと炊飯性能の両立を図る電気炊飯器に、炊飯制御モードとして、通常モードとこの通常モードに比べて省エネルギー性能が高い省エネモードとの選択可能な２つの制御モードを備えたものがある。
この様な電気炊飯器は、省エネモードでの炊飯制御が開始された後であっても、当該省エネモードでの炊飯制御では、良好な炊飯を実現し難い所定の炊飯条件が検知されると、それに対応して良好な炊飯が可能となるように当該省エネモードでの制御レベルを自動的に修正する電気炊飯器がある（例えば、特許文献１参照）。
【先行技術文献】
【特許文献】
【０００４】
【特許文献１】特許第４５７７１３３号公報（図１〜図３）
【発明の概要】
【発明が解決しようとする課題】
【０００５】
しかしながら、特許文献１に記載の炊飯器は、炊飯を開始する時の電力事情に関係なく、加熱出力や加熱時間が決定されるので、炊飯器に対する電力供給が、電力の使用制限や不安定な要素により逼迫した状況では、炊飯動作中の停電の危険性が高まってしまう。
また、消費電力を抑えなくても良い時間帯にも、消費電力を抑えて炊飯する為、ご飯を美味しく炊くことができなくなるという課題がある。
【０００６】
本発明は、上記課題を解決するもので、通常モードに設定されていても、炊飯開始時の電力が逼迫していることが予想される昼間などの場合は、省エネ制御へ自動的に移行し、従来の通常制御よりも弱めの強火工程などで制御し、電力消費を抑える。また、省エネモードに設定されていても、炊飯開始時の電力に余裕がある深夜などの場合は、強めの省エネ制御で強火工程や沸騰継続工程などを十分に行ない、良好な炊飯を行ない、電力事情に見合った省エネ性能と炊飯性能の両立を図る炊飯器を提供することを目的とする。
【課題を解決するための手段】
【０００７】
上記の課題を解決するためには、電気炊飯器において、調理物を入れる内鍋と、この内鍋を加熱する加熱手段と、この加熱手段を制御して炊飯制御を行う制御部を備え、炊飯制御は、通常の炊飯制御を行う通常制御と、この通常制御より消費電力の少ない炊飯制御を行う省エネ制御を有し、制御部は、使用環境の電力状況に応じて、通常制御か省エネ制御のいずれかを選択して炊飯制御を行うことにより、課題を解決することができる。
【発明の効果】
【０００８】
本発明によれば、使用者が家庭内での電力消費量や炊飯する時刻を意識することなく、省エネ性能と炊飯性能が両立された炊飯を行うことができる電気炊飯器を提供することが可能となる。
【図面の簡単な説明】
【０００９】
【図１】実施の形態１の電気炊飯器の断面図
【図２】実施の形態１の電気炊飯器のブロック図
【図３】実施の形態１の操作部の平面図
【図４】実施の形態１の炊飯開始から保温に至る調理物の温度変化を示すグラフ
【図５】実施の形態１の制御フロー図
【図６】実施の形態２の制御フロー図
【図７】実施の形態３の制御フロー図（１）
【図８】実施の形態３の制御フロー図（２）
【図９】実施の形態３の制御フロー図（３）
【図１０】実施の形態３の制御フロー図（４）
【図１１】実施の形態３の制御フロー図（５）
【図１２】実施の形態４の制御フロー図
【図１３】実施の形態５の制御フロー図
【図１４】実施の形態６の制御フロー図
【図１５】実施の形態７の制御フロー図
【発明を実施するための形態】
【００１０】
以下、本発明の各実施の形態について図面を用いて説明する。
（実施の形態１）
図１を参照すると、電気炊飯器Ａ（以下、炊飯器Ａ）は、上面が開口されたほぼ有底筒状の本体１と、この本体１の後部側（図の右側）に設けられたヒンジ３１を軸に、本体１の上面開口部を開閉自在に覆う蓋体３０から構成されている。
【００１１】
炊飯器本体１（以下、本体１）の内側上部には、筒状の内鍋支持ケース２が設置されている。そして、内鍋支持ケース２の下部には、中央部に開口部３ａを有するほぼ深皿状のコイル台３が配設されて、内鍋支持ケース２の内方に内鍋収容部５が形成されている。
コイル台３の底部の下面とコーナ部の外面には、加熱手段である誘導加熱コイル６が設けられている。この誘導加熱コイル６は、後述する内鍋４０を誘導加熱するものである。
【００１２】
次に、内鍋４０は、ステンレスや鉄などの磁性材料からなる有底筒状の鍋で、米４３や水４４などの調理物４２を入れて、本体１の内鍋収容部５に出し入れ自在に収容される。
また、内鍋４０は、本体１に収容された状態において、誘導加熱コイル６と対向し、上端部外周に設けたフランジ４１が内鍋支持ケース２の上端部に支持され、その底部及び周壁が内鍋収容部５の内壁との間に若干のすき間を介して保持される。
【００１３】
次に、本体１内の前面側には、前面パネル１５が設けられている。この前面パネル１５の背面側には、マイクロコンピュータ等が搭載された回路基板が配置されて、誘導加熱コイル６に交番磁界を発生させる電流などを制御や電気部品の制御を行う制御部１６が位置している。
この制御部１６は、内鍋収容部５の外壁に取付けられている。また、制御部１６は、送風機１７により冷却される。
【００１４】
この制御部１６は、時間計測手段１６ａ、操作部、温度検知手段１６ｂからの出力などの各種情報に基づき、所定の制御アルゴリズムで加熱コイル６への高周波電流の通電や、側面加熱手段、蓋ヒーターへの通電を制御するほか、炊飯器Ａの動作全般を制御する。
尚、制御部１６は、その機能を実現する回路デバイスのようなハードウェアで構成してもよく、また、マイコンやＣＰＵのような演算装置と、その上で実行されるソフトウェアとにより構成してもよい。
【００１５】
次に、図２を参照すると、制御部１６には、情報受信部１８ａ、情報送信部１８ｂが接続されている。
この情報受信部１８ａは、炊飯器外部（後述する電力使用状況測定手段５０など）から使用環境の電力状況に関する情報を取得し、制御部１６へと送る。尚、この情報受信部は他の場所に設置してもよい。
【００１６】
また、この情報送信部１８ｂは、炊飯器Ａが接続する外部のシステム（後述する電力使用状況測定手段５０など）に対して、炊飯器Ａの運転状況や使用電力、その他、各種炊飯器の制御に関する情報を送信するものである。
【００１７】
次に、図３に示すように、操作部２０は、本体１の前面側上部に設けられ、炊飯スタートキー２１、切・保温キー２２、予約タイマーキー２３、メニューキー２４などが設けられており、中央部には例えば液晶からなり、現在時刻や炊飯工程終了までの残時間等が数字表示される報知手段である表示部２５が設けられている。尚、操作部２０は蓋体３０に納めても良い。
【００１８】
以上のように構成された炊飯器Ａは、制御部１６により加熱手段の出力を制御することで、図４に示す各工程を経て一連の炊飯制御を完了する。尚、図４は、横軸が炊飯開始からの経過時間ｔ、縦軸が調理物の温度Ｔである。
図４を参照すると、まず、炊飯が開始されると、所定時間の間、加熱手段により水温を米が水分を吸水するのに適した温度に保つことで、吸水工程が行われる。吸水工程の時間は、調理物の量や水温により異なる。
【００１９】
次に、吸水工程が終了すると、加熱手段の出力を上げて内鍋を加熱して、調理物の温度を速やかに沸騰温度まで昇温する昇温工程が行われる。
次に、昇温工程が終了すると、調理物を沸騰状態に保ち米を炊き上げる炊き上げ工程が行われる。この昇温工程から炊き上げ工程に至る間、加熱手段の出力が高い状態となる。
次に、炊き上げ工程において、内鍋内部の温度が沸騰温度を超えたのを契機に炊き上げ工程を終了し、所定時間の間、炊き上がった調理物を蒸らす蒸らし工程へと進む。
そして、蒸らし工程が終了すると、調理物を一定の温度に保つ保温が設定されている場合、保温工程へと進む。
【００２０】
次に、以上のように構成した本実施の形態に係る炊飯器の動作について説明する。
まず、内鍋４０に米４３と水４４からなる所定量の調理物４２を入れ、内鍋収容部５に収容して蓋体３０を閉じる。このとき、表示部２５には通常現在時刻が表示されている。
【００２１】
次に、図３において、操作部２０のメニューキー２４を操作し、メニューを省エネモードに選択すると、表示部２５は「エコ炊飯」を表示する。また、図２において、情報受信部１８ｂは電力使用状況測定手段５０から受信している現在の家庭内の電力使用情報を制御部１６に伝える。
【００２２】
ここで、エコ炊飯とは、通常の炊飯モードで実行する炊飯制御で炊飯したご飯と比べると、炊き上がりの米の状態・味は劣るが、加熱手段の出力をある程度下げることで、消費電力を抑えて炊飯を行うことができる省エネ制御を行う省エネモードである。
また、電力使用状況測定手段５０とは、家庭等におけるエネルギー管理を支援するシステムであり、住宅内のエネルギー消費機器（テレビ、エアコン、ＰＣ、ＩＨクッキングヒーター等）や発電機器（太陽光発電システム等）やインターネット等とネットワークで接続し、電力の使用状況やエネルギー消費状況の監視、家庭内で用いられている機器の遠隔操作や自動制御などを行うものである（例えば、ＨＥＭＳ（Ｈｏｍｅ  Ｅｎｅｒｇｙ  Ｍａｎａｇｅｍｅｎｔ  Ｓｙｓｔｅｍ））。
尚、本実施の形態において、炊飯器Ａは、制御部１６に接続する情報受信部１８ａ、情報送信部１８ｂを介して、電力使用状況測定手段５０に通信可能な状態で接続される。
【００２３】
（エコ炊飯が設定されている場合）
ここで、エコ炊飯（省エネモード）が設定されている場合の炊飯開始から炊飯制御に移行する制御フローを説明する。
図５に示すフロー図を参照すると、エコ炊飯に設定された状態で操作部２０の炊飯スタートキー２１を操作して炊飯を開始すると、制御部１６は、ステップＳ６１で、設定されている炊飯モードが省エネモードか否かを判断する。ここでは、省エネモードが選択されているので、ステップＳ６２に移行する。
【００２４】
次に、ステップＳ６２において、制御部２０は、情報受信部１８ａを介して電力使用状況測定手段５０から得た炊飯器の使用環境の電力状況が逼迫した状態である場合、ステップＳ６３へ進み、予熱時間（吸水時間）を短縮したり、加熱制御で火力（出力）を弱めたりする、より消費電力が少ない「強省エネ炊飯制御」で炊飯制御を開始して、ステップＳ６７に進みフローを終える。
【００２５】
また、ステップＳ６２で電力使用状況測定手段５０から受信した電力状況が、逼迫した状態で無い場合、ステップＳ６４へ進み、ステップＳ６３で移行する「強省エネ炊飯制御」よりは消費電力が多いが、通常の炊飯制御よりは消費電力が少ない「弱省エネ炊飯制御」に移行して炊飯制御を開始して、ステップＳ６７に進みフローを終える。
【００２６】
ここで、「強省エネ炊飯制御」は「弱省エネ炊飯制御」と比較して、予熱時間を短く設定したり、加熱手段の出力を弱くしたりすることで、より消費電力が少なくなるように設定されている。
つまり、「強省エネ炊飯制御」は、予熱時間を短縮したり、加熱手段の出力を抑えたりする分、ご飯の炊き上がりの質が低下するが、炊飯にかかる消費電力を最も抑えることができる。
ご飯の炊き上がりの質は、ご飯を炊飯するのに最も美味しく炊き上がるように設定されている通常炊飯制御が一番良く、以下、弱省エネ炊飯制御、強省エネ炊飯制御の順番で、通常炊飯制御の炊き上がりの質が低下する。
【００２７】
また、「電力状況が逼迫した状態」とは、炊飯器の使用環境である家庭内の使用可能電力に余裕が無い状態をいう。
この様な状態の例として、「家庭内に設置してあるエアコンやＩＨクッキングヒーター等の他の電気機器を同時に使用しており、電力会社との契約電力に近い電力を使用している状態」や、「電力会社等の外部からの節電要請により、家庭内で使用できる電力が限られている状態」や、「使用者が任意に設定した使用可能電力に近い電力を使用している状態」などを想定している。
【００２８】
この様に、省エネモードが設定してある場合でも、炊飯器の使用環境の電力状況に応じて、省エネ炊飯制御のレベルを自動的に選択可能なので、炊飯時の電力環境に応じて、炊飯時の消費電力を抑えつつ、限られた使用電力で最も美味しくご飯を炊飯することができる。
つまり、省エネモードにおいて、使用可能な電力に対応した炊飯制御を複数用意し、電力状況に適した炊飯制御を行うことができるので、使用することが可能な電力に応じて、最も美味しくご飯を炊飯することができる。
【００２９】
（エコ炊飯が設定されていない場合）
次に、エコ炊飯が設定されていない場合の炊飯開始から炊飯制御に移行する制御フローを説明する。
まず、操作部２０のメニューキー２４を操作し、省エネモードに選択しなかった場合、表示部には通常の炊飯モードである旨を表示する。尚、通常の炊飯モードの場合、表示部には炊飯モードの表示を行わなくてもよい。
【００３０】
この状態で、操作部２０の炊飯スタートキー２１を操作すると、制御部１６は、図５のフロー図にあるように、ステップＳ６１で、省エネモードか否かを判断し、現在は、省エネモードが選択されていないので、ステップＳ６５に移行する。
この状態で、電力使用状況測定手段５０から受信した電力状況が逼迫の場合、ステップＳ６３へ進み、予熱時間を短縮したり、加熱制御で火力を弱めたりする「強省エネ炊飯制御」で炊飯制御を開始して、ステップＳ６７に進みフローを終える。
【００３１】
また、ステップＳ６５で、情報受信部１８から受信した電力状況が逼迫した状況でなければ、ステップＳ６６へ進み、予熱工程や炊飯工程、むらし工程など、全ての工程において加熱制御は最も炊飯に適した時間、火力で行なう通常制御を行い、ステップＳ６７に進みフローを終了する。
【００３２】
この様に、炊飯モードが通常モードに設定されている場合でも、家庭内の電力使用情報に応じて、消費電力が少ない炊飯モードを切り替えて炊飯制御を実行するので、電力が逼迫しているときでも、家庭内の使用可能電力を超えることを防止できる。
つまり、ブレーカーによる電力切断を回避することができ、確実に炊飯を行うことが可能となる。
【００３３】
尚、ステップＳ６５において電力が逼迫していると判断され、ステップＳ６３に移行した場合、表示部２５やスピーカーなどの音声報知手段などの報知手段により、炊飯モードが変更された旨を報知するとよい。
この様に、炊飯モードが変更された旨が報知されれば、使用者は、ご飯の炊き上がり状態などを正しく把握することができる。
【００３４】
また、フロー図は、ステップＳ６５において電力が逼迫していると判断され、「強省エネ炊飯制御」が実行されるステップＳ６３に移行するように構成されているが、電力の逼迫状況の度合いを判断し、「弱省エネ炊飯制御」が実行されるステップＳ６４に移行するようにしても良い。
この様に、電力の逼迫状況に応じて省エネ制御のレベルを選択可能に構成することで、使用することが可能な電力に応じて、最も美味しくご飯を炊飯することができる。
【００３５】
（実施の形態２）
次に、図６を参照して、実施の形態２を説明する。尚、実施の形態１と同様な構成は同じ符号を付し、説明を省略する。本実施の形態は、炊飯する時刻によって炊飯制御の形態を変更する形態である。
【００３６】
（エコ炊飯が設定されている場合）
まず、エコ炊飯が設定されている場合の炊飯開始から炊飯制御に移行する制御フローを説明する。
図６に示すフロー図を参照すると、エコ炊飯（省エネモード）に設定された状態で操作部２０の炊飯スタートキー２１を操作して炊飯を開始すると、制御部１６は、ステップＳ７１で、設定されている炊飯モードが省エネモードか否かを判断する。ここでは、省エネモードが選択されているので、ステップＳ７２に移行する。
【００３７】
次に、ステップＳ７２において、制御部１６は、現在の時刻が、電力が逼迫している可能性の高い時刻（例えば、１１時００分〜１７時００分）であればステップＳ７３へ進み、「強省エネ炊飯制御」で炊飯制御を開始して、ステップＳ７７に進みフローを終える。
また、ステップＳ７２で電力が逼迫している可能性の高い時刻で無い場合、ステップＳ７４へ進み、「弱省エネ炊飯制御」に移行して炊飯制御を開始して、ステップＳ７７に進みフローを終える。
【００３８】
ここで、電力が逼迫している可能性の高い時刻とは、炊飯器の使用環境である家庭内の使用可能電力に余裕が無い状態となる時間帯をいう。
この様な状態の例として、「家庭内に設置してあるエアコンやＩＨクッキングヒーター等の他の電気機器を同時に使用しており、電力会社との契約電力ギリギリまで電力を使用している状態となりやすい時刻」や、「電力会社等の外部からの節電要請により、家庭内で使用できる電力が限られている状態となりやすい時刻」などを想定している。
本実施の形態では、この様な時刻を１１時００分〜１７時００分としているが、季節や電力状況などにより変更されるものであってよい。また、使用者が生活のパターンに応じて設定した時刻でも良い。
【００３９】
この様に、省エネモードが設定してある場合でも、炊飯器の使用環境の電力状況に応じて、省エネ炊飯制御のレベルを自動的に選択可能なので、炊飯時の電力環境に応じて、炊飯時の消費電力を抑えつつ、限られた使用電力で最も美味しくご飯を炊飯することができる。
つまり、省エネモードにおいて、使用可能な電力に対応した炊飯制御を複数用意し、電力状況に適した炊飯制御を行うことができるので、使用することが可能な電力に応じて、最も美味しくご飯を炊飯することができる。
【００４０】
（エコ炊飯が設定されていない場合）
次に、エコ炊飯が設定されていない場合の炊飯開始から炊飯制御に移行する制御フローを説明する。
まず、操作部２０のメニューキー２４を操作し、省エネモードに選択しなかった場合、表示部には通常の炊飯モードである旨を表示する。尚、通常の炊飯モードの場合、表示部には炊飯モードの表示を行わなくてもよい。
【００４１】
この状態で操作部２０の炊飯スタートキー２１を操作すると、制御部１６は、図６のフロー図にあるように、ステップＳ７１で、省エネモードか否かを判断し、現在は、省エネモードが選択されていないので、ステップＳ７５に移行する。
次に、ステップＳ７５において、制御部１６は、現在の時刻が、電力が逼迫している可能性の高い時刻（例えば１１時００分〜１７時００分）であればステップＳ７３へ進み、「強省エネ炊飯制御」で炊飯制御を開始して、ステップＳ７７に進みフローを終える。
【００４２】
また、ステップＳ７５で、現在の時刻が、電力が逼迫している可能性の高い時刻でなければ、ステップＳ７６へ進み、予熱工程や炊飯工程、むらし工程など、全ての工程において加熱制御は最も炊飯に適した時間、火力で行なう通常制御を行い、ステップＳ７７に進みフローを終了する。
【００４３】
この様に、炊飯モードが通常モードに設定されている場合でも、家庭内の電力使用情報に応じて、消費電力が少ない炊飯モードを切り替えて炊飯制御を実行するので、電力が逼迫しているときでも、家庭内の使用可能電力を超えることを防止できる。
つまり、ブレーカーによる電力切断を回避することができ、確実に炊飯を行うことが可能となる。
【００４４】
尚、ステップＳ７５において電力が逼迫している時刻と判断され、ステップＳ７３に移行した場合、表示部やスピーカーなどの音声報知手段などの報知手段により、炊飯モードが変更された旨を報知するとよい。
この様に、炊飯モードが変更された旨が報知されれば、使用者は、ご飯の炊き上がり状態などを正しく把握することができる。
【００４５】
また、フロー図は、ステップＳ７５において電力が逼迫している時刻と判断され、「強省エネ炊飯制御」が実行されるステップＳ７３に移行するように構成されているが、時間帯ごとの電力の逼迫状況の度合いを判断し、「弱省エネ炊飯制御」が実行されるステップＳ７４に移行するようにしても良い。
【００４６】
この様に、電力の逼迫状況に応じて省エネ制御のレベルを選択可能に構成することで、使用することが可能な電力に応じて、最も美味しくご飯を炊飯することができる。
また、情報受信部１８ａは現在時刻情報だけを受信すれば良く，電力使用状況測定手段５０を省くことが可能となる。また、操作部から入力された現在時刻情報を基にステップＳ７２の条件判断を行なえば、情報受信手段１８ａ自身も省くことが可能となる。
【００４７】
（実施の形態３）
次に、図７〜図１０を参照して、実施の形態３を説明する。尚、実施の形態１と同様な構成は同じ符号を付し、説明を省略する。
本実施の形態は、炊飯開始から炊飯終了にいたる各工程において、ＨＥＭＳ等の外部システムから電力を削減した制御を行う旨の指示（電力逼迫情報）を炊飯器が受信した場合の制御処理を示す。
【００４８】
（１）吸水工程における制御処理について
吸水工程は、所定の吸水時間の間、加熱手段により水温を米が水分を吸水するのに適した温度（温調温度）に保つことで、米に吸水を行う工程である。
図７を参照すると、吸水工程が開始されると、まず、ステップＳ８１で電力逼迫情報があるか否かを判断する。電力逼迫情報が無い場合、ステップＳ８２に移行して、吸水工程中の調理物の温度である温調温度と吸水時間をセットして、通常の吸水工程を開始する。
そして、ステップＳ８３において、ステップＳ８２でセットした吸水時間が経過したか否かを判断し、経過したならステップＳ８４に移行して、吸水工程を終了し、昇温工程へと移行する。
【００４９】
次に、電力逼迫情報を炊飯器Ａが受信している場合は、ステップＳ８１からステップＳ８５に移行する。ステップＳ８５では、吸水工程中の調理物の温度である温調温度と吸水時間をセットして、省エネ吸水工程を開始する。
ここで、省エネ吸水工程における温調温度は通常の吸水工程の温調温度より低く設定され、吸水時間は通常の吸水工程の吸水時間より長く設定される。
そして、ステップＳ８３において、ステップＳ８５でセットした吸水時間が経過したか否かを判断し、経過したならステップＳ８４に移行して、吸水工程を終了し、昇温工程へと移行する。
【００５０】
尚、ステップＳ８５において、温調温度を通常の吸水工程の温調温度より低く設定し、更に、吸水時間を通常の吸水工程より長く設定したが、いずれか一方のみを通常の吸水工程の設定と異ならせても良い。
このように、温調温度を低く設定したり、給水時間を長くしたりすることで、消費電力を低減させたり、電力のピークを低くすることができる。
【００５１】
（２）昇温工程における制御処理について
昇温工程とは、加熱手段の出力を上げて内鍋を加熱して、調理物の温度を速やかに沸騰温度まで昇温する工程である。
図８を参照すると、昇温工程が開始されると、まず、ステップＳ９１で電力逼迫情報があるか否かを判断する。電力逼迫情報が無い場合、ステップＳ９２に移行して、昇温工程中の加熱手段の出力をセットして、通常の昇温工程を開始する。
そして、ステップＳ９３において、調理物が所定の温度（沸騰温度）に到達したか否かを判断して、所定の温度に到達したならステップＳ９４に移行して、昇温工程を終了し、炊き上げ工程へと移行する。
【００５２】
次に、電力逼迫情報を炊飯器Ａが受信している場合は、ステップＳ９１からステップＳ９５に移行する。ステップＳ９５では、昇温工程中の加熱手段の出力をセットして、省エネ昇温工程を開始する。
ここで、省エネ昇温工程における加熱手段の出力は、通常の昇温工程の加熱手段の出力より低く設定（電力制限）され、ステップＳ９３に移行する。
そして、ステップＳ９３において、調理物が所定の温度（沸騰温度）に到達したか否かを判断して、所定の温度に到達したならステップＳ９４に移行して、昇温工程を終了し、炊き上げ昇温工程へと移行する。
このように、電力逼迫情報を受けている場合、制御部１６は加熱手段の出力を低く設定することで、消費電力を低減したり、電力のピークを低くしたりできる。
【００５３】
（３）炊き上げ工程における制御処理について
炊き上げ工程とは、調理物を沸騰状態に保ち米を炊き上げる工程である。
図９を参照すると、炊き上げ工程が開始されると、まず、ステップＳ１０１で電力逼迫情報があるか否かを判断する。電力逼迫情報が無い場合、ステップＳ１０２に移行して、炊き上げ工程中の加熱手段の出力をセットして、通常の炊き上げ工程を開始する。
そして、ステップＳ１０３において、調理物が所定の温度（例えば、調理物４２の水分が無くなったときの温度であるドライアップ温度）に到達したか否かを判断して、所定の温度に到達したならステップＳ１０４に移行して、炊き上げ工程を終了し、むらし工程へと移行する。
【００５４】
次に、電力逼迫情報を炊飯器Ａが受信している場合は、ステップＳ１０１からステップＳ１０５に移行する。ステップＳ１０５では、炊き上げ工程中の加熱手段の出力をセットして、省エネ炊き上げ工程を開始する。
ここで、ステップＳ１０５で設定される加熱手段の出力は、通常の炊き上げ工程での加熱手段の出力より低く設定（電力制限）され、ステップＳ１０３に移行する。
そして、ステップＳ１０３において、調理物が所定の温度（ドライアップ温度）に到達したか否かを判断して、所定の温度に到達したならステップＳ１０４に移行して、炊き上げ工程を終了し、むらし工程へと移行する。
このように、電力逼迫情報を受けている場合、制御部は加熱手段の出力を低く設定することで、消費電力を低減したり、電力のピークを低くしたりすることができる。
【００５５】
（４）蒸らし工程における制御処理について
図１０を参照すると、蒸らし工程が開始されると、まず、ステップＳ１１１で電力逼迫情報があるか否かを判断する。電力逼迫情報が無い場合、ステップＳ１１２に移行して、蒸らし工程中の加熱手段の出力や蒸らし時間を設定して、通常の蒸らし工程を開始する。
そして、ステップＳ１１３において、蒸らし開始から所定の時間が経過したか否かを判断して１１４に移行し、蒸らし工程を終了する。
尚、保温が設定されている場合、蒸らし工程が終了した後、炊き上がったご飯を一定の温度に保つ保温工程へと移行する。
【００５６】
次に、電力逼迫情報を炊飯器Ａが受信している場合は、ステップＳ１１１からステップＳ１１５に移行する。ステップＳ１１５では、蒸らし工程中の加熱手段の出力や蒸らし時間をセットして、省エネ蒸らし工程を開始する。
ここで、ステップＳ１１５で設定される加熱手段の出力は、通常の炊き上げ工程での加熱手段の出力より低く設定（電力制限）され、蒸らし時間は通常の蒸らし工程の時間より長く設定され、ステップＳ１１３に移行する。
【００５７】
そして、ステップＳ１１３において、蒸らし開始から所定の時間が経過したか否かを判断して１１４に移行し、蒸らし工程を終了する。
尚、保温が設定されている場合、蒸らし工程が終了した後、炊き上がったご飯を一定の温度に保つ保温工程へと移行する。また、ステップＳ１１５において、出力を低く設定し、蒸らし時間を長く設定したが、いずれか一方のみを通常の蒸らしと異ならせても良い。
このように、電力逼迫情報を受けている場合、制御部１６は加熱手段の出力を低く設定したり、蒸らし時間を通常の蒸らし工程より長くしたりすることで、消費電力を低減したり、電力のピークを低くしたりすることができる。
【００５８】
（実施の形態４）
次に、図１１を参照して、実施の形態４を説明する。尚、実施の形態１と同様な構成は同じ符号を付し、説明を省略する。本実施の形態は、吸水から蒸らしに至る各工程において電力逼迫情報がある場合、この情報を使用者に通知して、その後の工程において炊飯制御パターンを選択可能にするものである。
【００５９】
（電力逼迫情報が無い場合）
電力逼迫情報が無い場合、各工程が開始されると、ステップＳ１２１において電力逼迫情報があるか否かを判断する。ここでは、電力逼迫情報が無いので、ステップＳ１２２に移行する。ステップＳ１２２では、現在の工程を通常の炊飯制御で実行して、ステップＳ１２３移行する。
【００６０】
ステップＳ１２３では、実行中の工程が終了したか否かを判断し、終了するとステップＳ１２４に移行して、このルーティンを終了する。尚、次の工程がある場合は、次の工程に移行して、再度ステップＳ１２１からルーティンを開始する。
この様に、電力逼迫情報が無い場合は、制御部１６は、通常の炊飯制御を各工程で実行し、ご飯の炊き上がりが一番良くなるように動作する。
【００６１】
（電力逼迫情報が有る場合）
電力逼迫情報が有る場合、ステップＳ１２１からステップＳ１２５へと移行する。ステップＳ１２５では、電力逼迫情報を受けて、現在実行する工程の制御を省エネ制御（省エネモード）で行うか否かを、使用者に対して確認を促す報知を行う。
【００６２】
具体的な報知方法は、表示部２５に、電力が逼迫している旨の情報や、現在の工程などの炊飯器の状況に関する情報などを表示すると共に、現在実行する工程の制御を省エネ制御（省エネモード）で行うか否かの使用者に対して確認を促す表示を行い報知する。
また、炊飯器Ａは、情報送信部１８ｂから、現在の工程などの炊飯器の状況に関する情報や、現在実行する工程の制御を省エネ制御（省エネモード）で行うか否かの使用者に対して確認を促す情報を、電力使用状況測定手段５０に送信する。
【００６３】
これら情報を受信した電力使用状況測定手段５０は、家庭内であれば、接続されているテレビや各種表示装置等に、受信した情報を表示する共に、実行する工程の制御を省エネ制御（省エネモード）で行うか否かの使用者に対して確認を促す表示を行い報知する。
また、電力使用状況測定手段５０は、インターネットを介して、使用者が持つ携帯端末等にこれらの情報を送信しても良い。
この様な報知を受けた後、使用者は、操作部２０や電力使用状況測定手段５０に接続されている機器や携帯端末等を操作入力することにより、省エネ制御を行うか否かを回答する。
【００６４】
次に、上記の処理が終了するとステップＳ１２６に移行し、制御部に省エネ制御を行うか否かの使用者からの回答情報が入力されたかどうか、つまり、使用者からの指示の有無を判断する。
そして、ステップＳ１２６での情報が入力されている場合、ステップＳ１２７に移行して、当該入力が省エネ運転に変更するか否かを判断する。ステップＳ１２７で入力された情報が、省エネ制御に変更可能である場合、Ｓ１２８に移行して省エネ制御を実行してＳ１２３に移行する。
ステップＳ１２７で入力された情報が、省エネ制御への変更を拒否した内容であれば、ステップＳ１２２へ移行して、通常の炊飯制御を行う。
【００６５】
また、ステップＳ１２６で、省エネ制御への移行の可否に関する入力がなされていない場合、ステップＳ１２９に移行する。
ステップＳ１２９では、ステップＳ１２５の処理が終了してから所定時間経過したか否かを判断する。所定時間経過していない場合、ステップＳ１２６に移行する。所定時間経過している場合、ステップＳ１２８に移行して、省エネ制御を実行する。
【００６６】
尚、あらかじめ省エネ炊飯で行う設定がされている場合、以上のようなルーティンは省略しても良い。また、本実施の形態では、吸水から蒸らしに至る各工程において、個々の工程で省エネ制御に移行するか否かの判断を行うものであるが、一度省エネ制御に移行した後は、炊飯終了まで省エネ制御で固定して炊飯制御を行ってもよい。
【００６７】
以上のように、炊飯器が電力逼迫情報を外部から得て、自動的に省エネ制御に移行するように設定されている炊飯器において、省エネ制御に移行するか否かを使用者に確認してから制御内容を変更するので、使用者が意図せずに、ご飯の炊き上がりが変わることがない。
尚、ステップＳ１２９で、所定時間経過している場合、省エネ制御に移行するようになっているが、ご飯の炊き上がり（ご飯の美味しさ）を優先する設定が成されている場合などは、ステップＳ１２２に移行して通常の制御で炊飯を続けても良い。
【００６８】
（実施の形態５）
次に、図１２を参照して、実施の形態５を説明する。尚、実施の形態１と同様な構成は同じ符号を付し、説明を省略する。
本実施の形態は、複数の電気機器Ｂと共に電力使用状況測定手段５０に接続されている炊飯器において、電力逼迫情報がある場合、他の機器との動作の優先順位に基づき、省エネ制御に移行するか否かを決定するものである。
尚、本実施の形態においては、電力使用状況測定手段５０に接続されているのは、電気炊飯器Ａと機器Ｂの２台の場合について説明する。
【００６９】
（電力逼迫情報が無い場合）
電力逼迫情報が無い場合、各工程が開始されると、ステップＳ１３１において電力逼迫情報があるか否かを判断する。ここで、電力逼迫情報が無いので、ステップＳ１３２に移行する。ステップＳ１３２では、現在の工程を通常の炊飯制御で実行して、ステップＳ１３３移行する。
【００７０】
ステップＳ１３３では、実行中の工程が終了したか否かを判断し、終了するとステップＳ１３４に移行して、このルーティンを終了する。尚、次の工程がある場合は、次の工程に移行して、再度ステップＳ１３１からルーティンを開始する。
この様に、電力逼迫情報が無い場合は、制御部１６は、通常の炊飯制御を各工程で実行し、ご飯の炊き上がりが一番良くなるように動作する。
【００７１】
（電力逼迫情報が有る場合）
電力逼迫情報が有る場合、ステップＳ１３１からステップＳ１３５へと移行する。ステップＳ１３５では、電力逼迫情報を受けて、電力使用状況測定手段５０に接続されている機器の動作状態を取得してステップＳ１３６へと移行する。
ステップＳ１３６では、電力使用状況測定手段５０に接続されている機器で動作している機器と比較して、炊飯器Ａの動作が優先するか否かを判断する。
【００７２】
ステップＳ１３６で、炊飯器Ａの動作が他の機器Ｂの動作より優先すると判断された場合、ステップＳ１３７に移行する。ステップＳ１３７では、電気炊飯器Ａの使用電力を落とさない旨（通常の炊飯制御を行う旨）の信号を情報送信部１８ｂから電力使用状況測定手段５０に発信して、ステップＳ１３２に移行し、通常の炊飯制御を実行する。
【００７３】
ステップＳ１３６で、他の機器Ｂの動作が電気炊飯器Ａの動作より優先すると判断された場合、ステップＳ１３８に移行する。ステップＳ１３８では、電気炊飯器Ａの使用電力を落とす旨（省エネ炊飯制御を行う旨）の信号を送信部から電力使用状況測定手段５０に発信して、ステップＳ１３９に移行し、省エネ炊飯制御を実行する。
【００７４】
尚、あらかじめ省エネ炊飯で行う設定がされている場合、以上のようなルーティンは省略しても良い。また、本実施の形態では、吸水から蒸らしに至る各工程において、個々の工程で省エネ制御に移行するか否かの判断を行うものであるが、一度省エネ制御に移行した後は、炊飯終了まで省エネ制御で固定して炊飯を行ってもよい。
【００７５】
以上のように炊飯器Ａは、電力逼迫情報を外部から得て、他の機器との動作の優先順位に基づき、省エネ制御に移行するか否かを変更するので、必要以上に省エネ制御に移行することを防ぎ、極力美味しいご飯が炊けるように制御することができる。
また、医療機器などの人の健康や生命に関係する機器が、電力使用状況測定手段５０に接続されている場合などは、炊飯器Ａを省エネ制御で動作させたり、場合によっては停止させることで電力を確保して、これらの機器の動作環境を確保したりすることができる。
【００７６】
尚、炊飯の各工程に応じて、炊飯器Ａの優先度を変更してもよい。例えば、ご飯の炊き上がりが、電力の大きさに左右される炊き上げ工程を行う際には、他の機器の動作に優先して電力を確保できるように、優先度を高くして、省エネ制御に移行するか否かを判断すると良い。
【００７７】
（実施の形態６）
次に、図１３を参照して、実施の形態６を説明する。尚、実施の形態１と同様な構成は同じ符号を付し、説明を省略する。
本実施の形態は、炊飯開始時間や炊き上がり時間を入力して置き、所定の時間となったら炊飯制御を開始する予約炊飯において、予約炊飯の待機中に電力逼迫情報がある場合、炊飯時間の変更を行うか否かの選択を可能にするものである。
【００７８】
（電力逼迫情報が無い場合）
予約炊飯が開始されると、制御部１６は、ステップＳ１４１に移行して電力逼迫情報があるか否かを判断する。ここで、電力逼迫情報が無い場合、ステップＳ１４２に移行する。ステップＳ１４２では、炊飯を通常の炊飯制御で行うようにセットしてステップＳ１４３に移行する。
【００７９】
ステップＳ１４３では、現在の時刻が予約炊飯の開始時刻に達したか否かを判断する。開始時刻になっていれば、ステップＳ１４４に移行して、セットされている炊飯制御で炊飯を開始する。この場合、通常の炊飯制御で炊飯を開始する。
ステップＳ１４３で予約炊飯の開始時刻に達していない場合は、ステップＳ１４１に移行する。
【００８０】
（電力逼迫情報が有る場合）
次に、電力逼迫情報が有る場合は、ステップＳ１４１からステップＳ１４５へと移行する。ステップＳ１４５では、電力逼迫情報を受けて、予約の変更を行うか否かを、使用者に対して確認を促す報知を行う。
【００８１】
具体的な報知方法は、表示部２５に、電力が逼迫している旨の情報や、炊飯器の状況に関する情報などを表示すると共に、予約開始時間を変更しても良いか否かの確認を促す表示を行う。
また、炊飯器は、情報送信部１８ｂから、現在の炊飯器の状況に関する情報や、予約開始時間を変更しても良いか否かの確認を促す情報を、電力使用状況測定手段５０に送信する。
【００８２】
これら情報を受信した電力使用状況測定手段５０は、家庭内であれば、接続されているテレビや各種表示装置等に、受信した情報を表示する共に、予約開始時間を変更しても良いか否かの確認を促す表示を行う。
また、電力使用状況測定手段５０は、インターネットを介して、使用者が持つ携帯端末等にこれらの情報を送信しても良い。
この様な報知を受けた後、使用者は、操作部２０や電力使用状況測定手段５０に接続されている機器や携帯端末等を操作入力することにより、予約開始時間を変更するか否かを回答する。
【００８３】
次に、上記の処理が終了するとステップＳ１４６に移行し、予約開始時間を変更するか否かの情報が入力されたかどうか、つまり、使用者からの指示の有無を判断する。そして、ステップＳ１４６での情報が入力されている場合、ステップＳ１４７に移行して、当該入力が予約開始時間を変更するか否かを判断する。
【００８４】
ステップＳ１４７で入力された情報が、予約開始時間を変更可能である場合、Ｓ１４２に移行して通常の炊飯制御をセットしてＳ１４３に移行する。この時、制御部１６は、予約時間を予め設定しておいた変更時間や電力の供給状況が安定している時間帯に予約時間を変更するようにしてもよい。
ステップＳ１４７で入力された情報が、予約開始時間の変更を拒否した内容であれば、ステップＳ１４８へ移行して、省エネ炊飯制御をセットしてＳ１４３に移行する。
【００８５】
また、ステップＳ１４６で、予約開始時間を変更の可否に関する入力がなされていない場合、ステップＳ１４９に移行する。
ステップＳ１４９では、ステップＳ１４５の処理が終了してから所定時間経過したか否かを判断する。所定時間経過していない場合、ステップＳ１４６に移行する。所定時間経過している場合、ステップＳ１４８に移行して、省エネ炊飯制御をセットする。
尚、あらかじめ電力逼迫情報がある場合、予約開始時間を変更する設定がされている場合、以上のようなルーティンは省略しても良い。
【００８６】
以上のように、炊飯器が電力逼迫情報を外部から得て、自動的に予約時間を変更するように構成されている炊飯器において、使用者に対して予約の変更の可否を確認した後、予約時間を変更するので、使用者が意図せずに予約時間の変更が行われることが無い。
尚、ステップＳ１４９で、所定時間経過している場合、省エネ制御をセットするように構成されているが、ご飯の炊き上がり（ご飯の美味しさ）を優先する設定が成されている場合などは、ステップＳ１４２に移行して通常の炊飯制御にセットしても良い。
【００８７】
（実施の形態７）
次に、図１４を参照して、実施の形態７を説明する。尚、実施の形態１と同様な構成は同じ符号を付し、説明を省略する。
本実施の形態は、炊飯予約の待機中に電力使用状況測定手段５０に接続されている他の機器の運転予約状況を考慮して、炊飯予約時間を変更するものである。
【００８８】
まず、制御部１６は、炊飯予約が開始された後、ステップＳ１５１に移行する。ステップＳ１５１では、現在の時刻が予約した時刻か否かを判断する。現在時刻が予約した時刻を過ぎれば、ステップＳ１５２に移行して炊飯を開始する。
ステップＳ１５１で、現在時刻が予約した時刻に至っていない場合は、ステップＳ１５３に移行する。ステップＳ１５３は、炊飯器の外部から電力逼迫情報があるか否かを判断する。電力逼迫情報が無ければ、ステップＳ１５１に移行する。電力逼迫情報があれる場合、ステップＳ１５４に移行する。
【００８９】
ステップＳ１５４は、電力使用状況測定手段５０に接続されている他の機器の運転予約情報を取得し、ステップＳ１５５に移行する。
ステップＳ１５５では、取得した他の機器の予約情報に基づき、炊飯器の運転予約時間を変更して、ステップＳ１５１に移行する。本実施の形態の場合、他の機種の運転予約の開始時刻よりも、予熱工程と炊き上げ工程にかかる時間よりまえに、炊飯制御が開始されるように、運転予約時間を変更する。
【００９０】
本実施の形態のように構成すれば、家庭内の機器の間で、運転時間をずらすことができ、家庭内において電力が逼迫した状況となることを防止することができる。
つまり、本実施の形態の場合、炊飯制御で最も電力を使用する炊き上げ工程の時間を、他の機器の運転開始時間とずらすことにより、電力を一時に同時に使用しないようにすることができる。例えば、炊飯器の炊き上げ工程と、予約で運転を開始したエアコンの運転開始時の高出力状態である時間帯を、ずらすことができる。
【００９１】
（実施の形態８）
次に、図１５を参照して、実施の形態８を説明する。尚、実施の形態１と同様な構成は同じ符号を付し、説明を省略する。
本実施の形態は、炊飯予約の設定の際に、電力使用状況測定手段５０に接続されている他の機器の運転予約状況を把握して、炊飯予約時間の変更を促す報知を行うものである。
【００９２】
まず、予約の設定が開始されると、ステップＳ１６１に移行して、電力使用状況測定手段５０に接続されている他の機器の運転予約状況を取得して、表示部２５に表示し、ステップＳ１６２に移行する。
ステップＳ１６２では、使用者が入力した予約時間で炊飯を実行した場合、炊き上げ工程の時間と、他の機種の予約時間が重なる場合は、使用者に対して報知を行う。
【００９３】
本実施の形態のように構成すれば、炊飯器の運転予約の際に、機器の間で、電力を多く使用する運転時間のずらすことができ、家庭内において電力が逼迫した状況となることを防止することができる。
【符号の説明】
【００９４】
Ａ  電気炊飯器、１  炊飯器本体、２  内鍋支持ケース、３  コイル台、４  、５  内鍋収容部、６  誘導加熱コイル、１５  前面パネル、１６  制御部、１８ａ  情報受信部、１８ｂ  情報送信部、２０  操作部、２１  炊飯スタートキー、２２  切・保温キー、２３  予約タイマーキー、２４  メニューキー、２５  表示部、３０  蓋体、４０  内鍋、４２  調理物、４３  米、４４  水、５０  電力使用状況測定手段。
【図１】
2014151037.tif 000003
【図２】
2014151037.tif 000004
【図３】
2014151037.tif 000005
【図４】
2014151037.tif 000006
【図５】
2014151037.tif 000007
【図６】
2014151037.tif 000008
【図７】
2014151037.tif 000009
【図８】
2014151037.tif 000010
【図９】
2014151037.tif 000011
【図１０】
2014151037.tif 000012
【図１１】
2014151037.tif 000013
【図１２】
2014151037.tif 000014
【図１３】
2014151037.tif 000015
【図１４】
2014151037.tif 000016
【図１５】
2014151037.tif 000017